(57)【要約】      （修正有）【課題】測定点が硬い面や斜面に位置する場合であっても、安定して保持可能なターゲットポール及びターゲットポールを用いた測量システムを提供する。【解決手段】第１プリズム３，第２プリズム４が設けられたポール２と、ポール２の下端に連結された石突き部５とを具備し、石突き部５はポール２と同心に設けられた石突きと、石突きの周囲に設けられた圧縮バネと、圧縮バネの下端に設けられた滑り止め部とを有し、滑り止め部には中心が石突きと合致し、石突きの外径よりも大きい孔が形成され、石突きの下端は滑り止め部の下面よりも上方に位置する様構成された。【選択図】図３
2020139921.tif 000002
【特許請求の範囲】
【請求項１】
ターゲットが設けられたポールと、該ポールの下端に連結された石突き部とを具備し、該石突き部は前記ポールと同心に設けられた石突きと、該石突きの周囲に設けられた圧縮バネと、該圧縮バネの下端に設けられた滑り止め部とを有し、該滑り止め部には中心が前記石突きと合致し、該石突きの外径よりも大きい孔が形成され、前記石突きの下端は前記滑り止め部の下面よりも上方に位置する様構成されたターゲットポール。
【請求項２】
前記滑り止め部の少なくとも下面は、摩擦抵抗の大きい弾性部材である請求項１に記載のターゲットポール。
【請求項３】
前記滑り止め部に磁石が設けられた請求項１又は請求項２に記載のターゲットポール。
【請求項４】
前記圧縮バネは、前記石突きの軸心を中心に所定角度間隔で複数設けられた請求項１〜請求項３のうちいずれか１項に記載のターゲットポール。
【請求項５】
前記滑り止め部は、所定角度間隔で分割され、各滑り止め部にそれぞれ前記圧縮バネが取付けられた請求項４に記載のターゲットポール。
【請求項６】
前記圧縮バネは、前記石突きと同心に設けられたコイルスプリングである請求項１〜請求項３のうちいずれか１項に記載のターゲットポール。
【請求項７】
測定点に立てられたターゲットポールに対してプリズム測量を行う測量システムであって、測量装置は水平回転可能な測量装置本体と、該測量装置本体に鉛直回転可能に設けられた望遠鏡部と、該望遠鏡部に収納され、測距光を発し、ターゲットからの反射測距光を受光して測距を行う測距部と、前記測量装置本体の水平角を検出する水平角検出器と、前記望遠鏡部の鉛直角を検出する鉛直角検出器とを有し、前記ターゲットポールは前記ターゲットが設けられたポールと、該ポールの下端に連結された石突き部とを具備し、該石突き部は前記ポールと同心に設けられた石突きと、該石突きの周囲に設けられた圧縮バネと、該圧縮バネの下端に設けられた滑り止め部とを有し、該滑り止め部には中心が前記石突きと合致し、該石突きの外径よりも大きい孔が形成され、前記石突きの下端は前記滑り止め部の下面よりも上方に位置する様構成された測量システム。
【発明の詳細な説明】
【技術分野】
【０００１】
本発明は、測量装置によりプリズム測定を行う為のターゲットポール及び該ターゲットポールを用いた測量システムに関するものである。
【背景技術】
【０００２】
プリズム測定では、測定点を示すターゲットポールが用いられる。ターゲットポールは、下端が石突きとなっているポール、該ポールに設けられるプリズムや反射シート等再帰反射体のターゲットを有する。プリズム測定を行う際には、ポールの石突きを測定点上に立て、測量装置によりターゲットを測定することで、測定点の３次元座標を測定している。
【０００３】
従来のターゲットポールの場合、石突きが金属製等の硬質な素材である為、測定点が岩やコンクリート等の硬い面上、或は斜面上や壁面上に位置する場合には石突きが滑り易い。
【０００４】
この為、ターゲットポールの石突きを測定点上で正確に保持し続けるのが困難となり、作業性、測定精度が低下する虞れがあった。
【先行技術文献】
【特許文献】
【０００５】
【特許文献１】特開２０１５−１０８６９号公報
【特許文献２】実開平６−８６０１９号公報
【特許文献３】特開２０１８−１８９５７５号公報
【特許文献４】特開２０１７−９０２４４号公報
【発明の概要】
【発明が解決しようとする課題】
【０００６】
本発明は、測定点が硬い面や斜面に位置する場合であっても、安定して保持可能なターゲットポール及びターゲットポールを用いた測量システムを提供するものである。
【課題を解決するための手段】
【０００７】
本発明は、ターゲットが設けられたポールと、該ポールの下端に連結された石突き部とを具備し、該石突き部は前記ポールと同心に設けられた石突きと、該石突きの周囲に設けられた圧縮バネと、該圧縮バネの下端に設けられた滑り止め部とを有し、該滑り止め部には中心が前記石突きと合致し、該石突きの外径よりも大きい孔が形成され、前記石突きの下端は前記滑り止め部の下面よりも上方に位置する様構成されたターゲットポールに係るものである。
【０００８】
又本発明は、前記滑り止め部の少なくとも下面は、摩擦抵抗の大きい弾性部材であるターゲットポールに係るものである。
【０００９】
又本発明は、前記滑り止め部に磁石が設けられたターゲットポールに係るものである。
【００１０】
又本発明は、前記圧縮バネは、前記石突きの軸心を中心に所定角度間隔で複数設けられたターゲットポールに係るものである。
【００１１】
又本発明は、前記滑り止め部は、所定角度間隔で分割され、各滑り止め部にそれぞれ前記圧縮バネが取付けられたターゲットポールに係るものである。
【００１２】
又本発明は、前記圧縮バネは、前記石突きと同心に設けられたコイルスプリングであるターゲットポールに係るものである。
【００１３】
更に又本発明は、測定点に立てられたターゲットポールに対してプリズム測量を行う測量システムであって、測量装置は水平回転可能な測量装置本体と、該測量装置本体に鉛直回転可能に設けられた望遠鏡部と、該望遠鏡部に収納され、測距光を発し、ターゲットからの反射測距光を受光して測距を行う測距部と、前記測量装置本体の水平角を検出する水平角検出器と、前記望遠鏡部の鉛直角を検出する鉛直角検出器とを有し、前記ターゲットポールは前記ターゲットが設けられたポールと、該ポールの下端に連結された石突き部とを具備し、該石突き部は前記ポールと同心に設けられた石突きと、該石突きの周囲に設けられた圧縮バネと、該圧縮バネの下端に設けられた滑り止め部とを有し、該滑り止め部には中心が前記石突きと合致し、該石突きの外径よりも大きい孔が形成され、前記石突きの下端は前記滑り止め部の下面よりも上方に位置する様構成された測量システムに係るものである。
【発明の効果】
【００１４】
本発明によれば、ターゲットが設けられたポールと、該ポールの下端に連結された石突き部とを具備し、該石突き部は前記ポールと同心に設けられた石突きと、該石突きの周囲に設けられた圧縮バネと、該圧縮バネの下端に設けられた滑り止め部とを有し、該滑り止め部には中心が前記石突きと合致し、該石突きの外径よりも大きい孔が形成され、前記石突きの下端は前記滑り止め部の下面よりも上方に位置する様構成されたので、測定面がコンクリート等の硬い面や斜面等であったとしても、前記ポールを安定して保持することができ、測定精度や作業性を向上させることができる。
【００１５】
又本発明によれば、測定点に立てられたターゲットポールに対してプリズム測量を行う測量システムであって、測量装置は水平回転可能な測量装置本体と、該測量装置本体に鉛直回転可能に設けられた望遠鏡部と、該望遠鏡部に収納され、測距光を発し、ターゲットからの反射測距光を受光して測距を行う測距部と、前記測量装置本体の水平角を検出する水平角検出器と、前記望遠鏡部の鉛直角を検出する鉛直角検出器とを有し、前記ターゲットポールは前記ターゲットが設けられたポールと、該ポールの下端に連結された石突き部とを具備し、該石突き部は前記ポールと同心に設けられた石突きと、該石突きの周囲に設けられた圧縮バネと、該圧縮バネの下端に設けられた滑り止め部とを有し、該滑り止め部には中心が前記石突きと合致し、該石突きの外径よりも大きい孔が形成され、前記石突きの下端は前記滑り止め部の下面よりも上方に位置する様構成されたので、測定面がコンクリート等の硬い面や斜面等であったとしても、前記ポールを安定して保持することができ、測定精度や作業性を向上させることができるという優れた効果を発揮する。
【図面の簡単な説明】
【００１６】
【図１】本発明の第１の実施例に係るターゲットポールを示す斜視図である。
【図２】本発明の第１の実施例に係る石突き部を示す斜視図である。
【図３】前記ターゲットポールを用いた測量システムを示す斜視図である。
【図４】該測量システムによるプリズム測定を説明するフローチャートである。
【図５】本発明の第２の実施例に係る石突き部を示す斜視図である。
【図６】本発明の第３の実施例に係る石突き部を示す斜視図である。
【図７】本発明の第４の実施例に係る石突き部を示す斜視図である。
【図８】前記石突き部に連結されるポールの他の例を示す斜視図である。
【発明を実施するための形態】
【００１７】
以下、図面を参照しつつ本発明の実施例を説明する。
【００１８】
先ず、図１に於いて、本発明の第１の実施例に係るターゲットポール１について説明する。
【００１９】
該ターゲットポール１は、ポール２と、該ポール２の中途部に設けられた第１プリズム３及び第２プリズム４と、前記ポール２の下端に設けられた石突き部５とから構成されている。
【００２０】
前記第１プリズム３は、再帰反射性を有するターゲットであり、前記ポール２の軸心上に光学中心が位置する様に設けられている。又、前記石突き部５の石突き６（後述）の下端から前記第１プリズム３の光学中心迄の距離は既知となっている。
【００２１】
前記第２プリズム４も、再帰反射性を有するターゲットであり、前記ポール２の軸心上に光学中心が位置する様に設けられている。又、前記石突き６の下端から前記第２プリズム４の光学中心迄の距離は既知となっている。更に、前記第１プリズム３の光学中心と前記第２プリズム４の光学中心との距離も既知となっている。
【００２２】
次に、図２に於いて、前記石突き部５の詳細について説明する。
【００２３】
該石突き部５は、前記ポール２の下端と連結される連結部７と、該連結部７から外周方向に広がりつつ下方に延出するベース部８と、該ベース部８の下端に設けられた圧縮バネ９と、該圧縮バネ９の下端に設けられた滑り止め部１１と、前記ベース部８に前記ポール２と同心に設けられた前記石突き６とから構成されている。
【００２４】
前記連結部７は円柱形状であり、上面にはネジ穴１０が形成されている。又、前記ポール２の下端には雄ネジ部（図示せず）が形成されており、前記ポール２のネジ部を前記連結部７の前記ネジ穴１０に螺着することで、前記ポール２と前記連結部７とが連結される様になっている。
【００２５】
前記ベース部８は、前記連結部７の下端から連続し、拡径しつつ下方に延出する。又、該ベース部８は、前記ポール２の軸心を中心に所定角度ピッチで複数本、例えば１２０°ピッチで３本の脚部１２が形成される様、該３本の脚部１２を除く箇所が切除されている。該脚部１２の下部は、前記ポール２の軸心と平行な軸心を有する円柱形状となっている。
【００２６】
前記石突き６は、前記３本の脚部１２の中心に設けられており、下端部がテーパ形状で下端が尖端となっている。又、該石突き６の軸心は、前記ポール２と前記連結部７とを連結した際に、前記ポール２の軸心と合致する様になっている。尚、前記石突き６の下端から前記連結部７の上端迄の軸心方向の距離は既知となっている。
【００２７】
前記圧縮バネ９は、前記３本の脚部１２の下端にそれぞれ設けられている。前記圧縮バネ９は、前記滑り止め部１１の同一円周上の３等分した位置に固着されている。前記滑り止め部１１は、例えば円板状であり、中心部には孔１３が形成されている。前記滑り止め部１１は、摩擦係数の大きい材質、例えばゴム等の弾性部材で形成されている。或は、前記滑り止め部１１は金属板であり、下面に摩擦係数の大きい材質が貼付けられている。
【００２８】
尚、前記石突き６の下端は、前記脚部１２の下端よりも下方に位置し、且つ前記滑り止め部１１の下面よりも上方に位置している。前記石突き６の下端と前記滑り止め部１１の下面との間の間隔は、前記圧縮バネ９の最大撓み量より小さくなっており、又該圧縮バネ９の合力は前記ポール２及び前記石突き部５等の自重を支持して前記間隔を保持する様になっている。更に、作業者が前記ポール２を押し下げた場合に、容易に前記石突き６を測定点２５（後述）に接地させ、押し下げた状態での反発力も作業者の負担とならない様に設定してある。
【００２９】
又、前記石突き６の下端部の外径は、前記孔１３の内径よりも小さくなっており、更にテーパ状であることから尖端の設置状態が視認できる様になっている。更に、前記滑り止め部１１を測定面に押圧した状態で、前記ポール２を傾けるか、或は該ポール２を前記孔１３の半径方向に変位させることで、該孔１３内の所望の位置に前記石突き６の下端を移動させることができる。
【００３０】
次に、図３に於いて、前記ターゲットポール１を用いた測量システムについて説明する。
【００３１】
図３中、１４はトータルステーション等の測量装置を示している。該測量装置１４は、測量装置本体１５、水平回動部１６を有し、三脚１７等の支持装置を介して既知の点に設置される。
【００３２】
前記水平回動部１６は水平回動モータ（図示せず）を有し、鉛直軸心を中心に、前記測量装置本体１５を水平方向に３６０°全周回転させることが可能となっている。該測量装置本体１５の回転量、即ち水平角は水平角検出器（図示せず）によって検出される。
【００３３】
又、前記測量装置本体１５は、測定結果や測定の進行状態等を表示する表示部１８と、測定条件の設定や測定結果の表示操作等を行う操作部１９を有している。尚、前記表示部１８は、タッチパネルとして表示部と操作部とを兼用させてもよい。
【００３４】
前記測量装置本体１５は望遠鏡部２１を有し、該望遠鏡部２１は托架部２２に支持されている。前記望遠鏡部２１は、水平軸心を中心に、鉛直回動モータ（図示せず）を有する鉛直回動部（図示せず）により鉛直方向に回転される。前記望遠鏡部２１の回転量、即ち鉛直角は鉛直角検出器（図示せず）によって検出される。尚、前記水平回動部１６と前記鉛直回動部により、前記望遠鏡部２１を水平方向及び鉛直方向に回転させる駆動部が構成される。
【００３５】
前記望遠鏡部２１は、視準望遠鏡（図示せず）と測距部（図示せず）とを備えている。前記視準望遠鏡は５°程度の視野角を有し、前記第１プリズム３及び前記第２プリズム４とをそれぞれ視準可能となっている。又、前記測距部は測距光を発し、前記第１プリズム３及び前記第２プリズム４で反射された反射測距光をそれぞれ受光することで、前記第１プリズム３及び前記第２プリズム４をそれぞれ測距、測角可能となっている。
【００３６】
又、前記第１プリズム３の測距、測角結果に基づき、該第１プリズム３の光学中心の３次元座標が演算され、前記第２プリズム４の測距、測角結果に基づき、該第２プリズム４の光学中心の３次元座標が演算される。前記第１プリズム３の光学中心と、前記第２プリズム４の光学中心は、共に前記ポール２の軸心上に位置しているので、前記第１プリズム３の光学中心の３次元座標と前記第２プリズム４の光学中心の３次元座標とに基づき、前記ポール２の傾斜角、傾斜方向を求めることができる。
【００３７】
尚、視準光軸２３と測距光軸２４とは同軸となっている。又、前記望遠鏡部２１は追尾部（図示せず）を備えていてもよい。該追尾部は、追尾光軸上に追尾光を射出し、前記第１プリズム３或は前記第２プリズム４からの反射光を受光し、受光結果に基づき前記第１プリズム３或は前記第２プリズム４の追尾を行う様になっている。更に、前記望遠鏡部２１は、前記第１プリズム３或は前記第２プリズム４の自動視準の為の撮像部を備えていてもよい。
【００３８】
次に、図４のフローチャートを用い、第１の実施例に係る前記ターゲットポール１を用いたプリズム測定を行う場合について説明する。
【００３９】
ＳＴＥＰ：０１  先ず始めに、前記ターゲットポール１を所定の測定点２５迄移動させ、前記滑り止め部１１を前記測定点２５の近傍の測定面２６に設置する。この時、前記測定点２５が前記孔１３の内に位置する様、前記滑り止め部１１の位置を調整する。
【００４０】
ＳＴＥＰ：０２  該滑り止め部１１が設置されると、次に前記ポール２を前記測定面２６に向って押圧する。これにより、前記圧縮バネ９が圧縮され、前記石突き６の下端と前記測定面２６とが接触する。この時、前記ポール２を介して前記滑り止め部１１が前記測定面２６に押圧されるので、該滑り止め部１１の摩擦抵抗により該滑り止め部１１の滑りが抑制される。
【００４１】
ＳＴＥＰ：０３  前記石突き６の下端と前記測定面２６とが接触した際には、該石突き６の下端と前記測定点２５との位置が合致しているかどうかが判断される。
【００４２】
ＳＴＥＰ：０４  前記石突き６の下端と前記測定点２５の位置が合致していないと判断された場合には、前記ポール２を傾けるか、或は該ポール２を前記孔１３の半径方向に変位させることで、前記石突き６の下端を前記測定点２５に合致させる。
【００４３】
ＳＴＥＰ：０５  前記石突き６の下端と前記測定点２５とが合致していたか、或は前記ポール２の傾斜や移動により前記石突き６の下端と前記測定点２５とを合致させると、次に前記測量装置１４により前記第１プリズム３の測量を行う。尚、本実施例では、前記測量装置１４は前記第１プリズム３を追尾している。
【００４４】
ＳＴＥＰ：０６  該第１プリズム３の測量後、前記測量装置１４により前記第２プリズム４の測量を行う。尚、前記測量装置１４が前記第２プリズム４を追尾していた場合には、該第２プリズム４の測量を行った後、前記第１プリズム３の測量を行う様にしてもよい。
【００４５】
ＳＴＥＰ：０７  該第１プリズム３と前記第２プリズム４の３次元座標が測定されると、前記測量装置１４は、前記第１プリズム３及び前記第２プリズム４の測定結果に基づき、前記ポール２の傾斜角及び傾斜方向を演算すると共に、演算結果と前記第２プリズム４の光学中心と前記石突き６の下端迄の既知の距離に基づき、前記測定点２５の３次元座標を演算する。
【００４６】
上述の様に、第１の実施例では、石突き部５が摩擦抵抗の大きい前記滑り止め部１１を有し、該滑り止め部１１が前記測定面２６に押圧された状態で、前記石突き６の下端が前記測定点２５と合致する様に構成されている。
【００４７】
従って、前記滑り止め部１１と前記測定面２６との間の滑りが抑制され、前記石突き６の下端が測定中に滑ることが抑制されるので、前記測定面２６が岩やコンクリート等の硬い面や斜面等、前記石突き６の下端が滑り易い面であったとしても、前記ターゲットポール１を安定して保持することができ、測定精度や作業性を向上させることができる。
【００４８】
又、前記ポール２に前記第１プリズム３と前記第２プリズム４とが既知の関係で設けられ、前記第１プリズム３と前記第２プリズム４の測定結果に基づき、前記ポール２の傾斜量、傾斜方向が演算可能となっている。従って、壁面や部屋の隅等、前記ターゲットポール１を垂直に立てられない位置に存在する前記測定点２５に対するオフセット測量を行う場合であっても、前記ターゲットポール１を用いた前記測定点２５の測定を行うことができる。
【００４９】
又、気泡管等の水平検出器が設けられ、前記ポール２を直立させた状態で測量を行う様な場合も、前記滑り止め部１１及び前記圧縮バネ９により前記ターゲットポール１の姿勢を安定させることができるので、作業の効率化を図ることができる。尚、前記ターゲットポール１が姿勢を検出できる構成を有する場合には、前記第１プリズム３と前記第２プリズム４のいずれか一方が設けられていればよい。
【００５０】
又、不使用状態では、前記石突き６の下端が前記滑り止め部１１の下面よりも上方に位置し、前記ポール２の運搬時に前記石突き６の下端が障害物に衝突して破損、損傷するのを防止することができる。又、該石突き６が前記圧縮バネ９により上方に付勢されているので、前記測定面２６に対して前記石突き６の下端が強い衝撃を受けるのを抑制することができ、該石突き６の保護を図ることができる。
【００５１】
又、前記石突き部５は、前記ネジ穴１０を介して前記ポール２と連結されている。従って、前記石突き部５に対して前記ポール２が交換可能であり、気泡管が設けられたポール、２つのプリズムが設けられたポール等、種々のポールに対しても前記石突き部５を連結することができる。又、前記石突き６の下端から前記連結部７の上端までの距離は既知となっているので、従来のターゲットポールの石突きを前記石突き部５と交換するだけで、本実施例のターゲットポールとすることができる。
【００５２】
更に、前記石突き部５は、３つの前記圧縮バネ９により３点支持する構成となっているので、圧力を均等に分散させることができると共に、前記石突き６の下端の視認性を確保することができる。
【００５３】
尚、第１の実施例では、前記圧縮バネ９を等角度間隔で３つ設けているが、該圧縮バネ９は２つであってもよく、視認性を損なわない範囲で４つ以上設けてもよいのは言う迄もない。
【００５４】
次に、図５に於いて、本発明の第２の実施例について説明する。尚、図５中、図２中と同等のものには同符号を付し、その説明を省略する。
【００５５】
第２の実施例では、滑り止め部１１に所定間隔で複数個、例えばそれぞれ圧縮バネ９間に３個の磁石２７が設けられている。該磁石２７は、前記滑り止め部１１上に設けられていてもよいし、該滑り止め部１１内に埋設されていてもよい。尚、ポール２の構造については第１の実施例と同様である。
【００５６】
上記の様に、第２の実施例では、前記滑り止め部１１に前記磁石２７が設けられている。従って、測定面２６（図３参照）が鉄等磁性体であった場合には、前記ポール２を前記測定面２６に押圧した際に、前記滑り止め部１１の摩擦抵抗だけではなく、前記磁石２７の吸引力も作用するので、前記ターゲットポール１をより安定して保持することができる。
【００５７】
次に、図６に於いて、本発明の第３の実施例について説明する。尚、図６中、図２中と同等のものには同符号を付し、その説明を省略する。
【００５８】
第３の実施例では、滑り止め部２８が各脚部１２毎に分割された分割構造となっている。即ち、第３の実施例では、各圧縮バネ９毎に前記滑り止め部２８が独立して伸縮する様になっている。尚、ポール２の構造については第１の実施例と同様である。
【００５９】
従って、測定面２６（図３参照）が平坦な面ではなかった場合であっても、該測定面２６の面形状に対応して各滑り止め部２８がそれぞれ押圧されるので、前記測定面２６の面形状に拘わらず安定してターゲットポール１を支持することができ、作業性を向上させることができる。
【００６０】
次に、図７に於いて、本発明の第４の実施例について説明する。尚、図７中、図２中と同等のものには同符号を付し、その説明を省略する。
【００６１】
第４の実施例では、連結部７に連続するベース部２９は、円錐曲面を有する略板状となっている。該ベース部２９の下面には、前記連結部７にポール２を連結した際に該ポール２と同心となる様石突き６が設けられると共に、該石突き６を囲繞し、且つ該石突き６と同心となる様圧縮コイルバネ３１が設けられている。尚、図７中では、円筒状のコイルスプリングを示しているが、円錐状のコイルスプリングとしてもよい。
【００６２】
該圧縮コイルバネ３１の下端には滑り止め部１１が設けられており、該滑り止め部１１は前記圧縮コイルバネ３１を介して前記ベース部２９に対して伸縮する。又、前記滑り止め部１１に設けられた孔１３の中心は前記石突き６の軸心と合致し、該石突き６の下端は前記滑り止め部１１の下面よりも上方に位置している。尚、前記ポール２の構造については第１の実施例と同様である。
【００６３】
第４の実施例に於いても、前記滑り止め部１１が測定面２６（図３参照）に押圧された状態で、前記石突き６の下端が測定点２５（図３参照）と合致する様に構成されている。従って、前記測定点がコンクリート等の硬い面や斜面であったとしても、ターゲットポール１を安定して保持することができ、測定精度や作業性を向上させることができる。
【００６４】
尚、第１の実施例〜第４の実施例のターゲットポール１では、共通のポール２に対して異なる構造の石突き部５を連結しているが、図８に示される様な、前記石突き部５に対して異なる形状のポール３２を連結してもよい。
【００６５】
該ポール３２は、中途部に設けられた基準反射部３３を有している。該基準反射部３３の全周に反射シートが巻設され、該基準反射部３３の上下にもそれぞれ部分的に前記ポール３２が露出する様、反射シート３４が全周を覆う様に巻設されている。該反射シート３４が巻設された部分は、上下に所定長さを有する線状反射部３５を構成する。又、前記ポール３２の下端には、第１の実施例と同様の前記石突き部５が連結されている。
【００６６】
前記基準反射部３３、前記線状反射部３５は、それぞれ測距光を反射し、測量装置１４（図３参照）の測定対象となっている。尚、前記基準反射部３３は、再帰反射性を有するターゲットであり、該基準反射部３３の中心は測定の為の基準点となっている。前記線状反射部３５は前記測定対象の検出、前記基準反射部３３の検出を容易にする為の補助反射部となっている。
【００６７】
又、前記基準反射部３３は、測距光のビーム径よりも大きい所定の厚み（軸心方向の長さ）で、且つ前記線状反射部３５の直径に対して太くなっている。
【００６８】
前記ポール３２を用いた前記ターゲットポール１で測定点２５を測定する場合には、例えば特許文献３に示される測量システムを用いて測定することができる。
【００６９】
尚、図８中では、前記ポール３２に対して第１の実施例の前記石突き部５を連結しているが、前記ポール３２に対して第２の実施例〜第４の実施例の石突き部を連結してもよいのは言う迄もない。
【００７０】
更に、第１の実施例〜第４の実施例及び図８では、前記ターゲットポール１に対して前記石突き部５を設けているが、該石突き部５を前記測量装置１４の支持部に対して適用してもよい。
【００７１】
例えば、特許文献４に示される様な、一脚により測量装置を支持する測量システムに対して本実施例の前記石突き部５を適用してもよい。該石突き部５を適用することで、測量装置を安定して保持することができる。
【符号の説明】
【００７２】
１              ターゲットポール
２              ポール
３              第１プリズム
４              第２プリズム
５              石突き部
６              石突き
９              圧縮バネ
１１            滑り止め部
【図１】
2020139921.tif 000003
【図２】
2020139921.tif 000004
【図３】
2020139921.tif 000005
【図４】
2020139921.tif 000006
【図５】
2020139921.tif 000007
【図６】
2020139921.tif 000008
【図７】
2020139921.tif 000009
【図８】
2020139921.tif 000010